(57)【要約】【課題】撮像範囲はもとより撮像範囲外の異常を検出することが可能で、また異常の有無をより確かな情報で確認することが可能な通信端末装置および通信システムを提供する。【解決手段】留守番モードにおいて、第１の制御信号ＣＴＬ１を所定時間音声処理部１１８に出力して収音手段としてのマイクロフォン１１８ｂで収音した音情報とあらかじめ設定しメモリ１１３に格納されている基準音情報（音量パラメータ）を比較し、収音した音が異常音であると判定すると、第２の制御信号ＣＴＬ２を撮像部１１５に出力して、相対する位置にある被写体を撮影させて、撮像画像データを得、撮像画像データと収音した音情報を、計時部１２による時刻情報と共に、通信処理部１１１に無線により通信網２０を介して管理センタ３０に送信させる制御部１１９を設ける。【選択図】        図２
2005217538.tif 000002
【特許請求の範囲】
【請求項１】
通信機能を有する通信手段と、
第１の制御信号を受けて周囲音を収音する収音手段と、
第２の制御信号を受けて撮影動作を行う撮像手段と、
上記撮像手段で撮影した画像データに対して所定の処理を行う画像処理手段と、
上記収音手段で収音した音情報とあらかじめ設定した基準音情報とを比較する音比較手段と、
上記第１の制御信号に基づいて上記収音手段で収音させたときの上記音比較手段の比較結果を受けて、収音した音が異常音であると判定すると、上記第２の制御信号により上記撮像手段を駆動して画像データを上記画像処理手段に入力させ、当該画像処理手段による撮像画像データと収音した音情報を上記通信手段に送信させる制御手段と
を有することを特徴とする通信端末装置。
【請求項２】
計時手段を有し、
上記制御手段は、上記計時手段の計時結果に基づく上記異常音を収音した時刻情報を、上記通信手段に上記画像処理手段による現画像データと収音した音情報と共に送信させる
ことを特徴とする請求項１に記載の通信端末装置。
【請求項３】
上記制御手段は、上記第１の制御信号を上記収音手段に出力して、あらかじめ設定した期間収音動作を行わせる
ことを特徴とする請求項１または２に記載の通信端末装置。
【請求項４】
上記画像処理手段により所定の処理が行われた画像データを記憶する記憶手段を有し、
上記制御手段は、上記収音動作と異なるタイミングにおいて、上記第２の制御信号により上記撮像手段に撮影動作を行わせ、得られた現画像データと上記記憶手段に記憶されている以前の画像データとを比較した結果、両画像データ間に差異があると判定すると、少なくとも上記画像処理手段による現画像データと収音した音情報を上記通信手段に送信させる
ことを特徴とする請求項３に記載の通信端末装置。
【請求項５】
計時手段を、さらに有し、
上記制御手段は、上記計時手段の計時結果に基づく上記現画像データを撮影した時刻情報を、上記通信手段に上記画像処理手段による現画像データと収音した音情報と共に送信させる
ことを特徴とする請求項４に記載の通信端末装置。
【請求項６】
第３の制御信号を受けて異常がある旨を報知する報知手段を有し、
上記制御手段は、収音した音が異常音であると判定した場合に、上記第３の制御信号を上記報知手段に出力して異常がある旨を報知させる
ことを特徴とする請求項１から５のいずれか一つに記載の通信端末装置。
【請求項７】
上記制御手段は、所定の通信先からの着信があった際に、上記第１の制御信号を上記収音手段に出力して収音動作を行わせる
ことを特徴とする請求項１から３のいずれか一つに記載の通信端末装置。
【請求項８】
通信端末装置と、当該通信端末装置と通信網を介して通信可能な管理装置とを含む通信システムであって、
上記通信端末装置は、
通信機能を有する第１の通信手段と、
第１の制御信号を受けて周囲音を収音する収音手段と、
第２の制御信号を受けて撮影動作を行う撮像手段と、
上記撮像手段で撮影した画像データに対して所定の処理を行う画像処理手段と、
上記収音手段で収音した音情報とあらかじめ設定した基準音情報とを比較する音比較手段と、
上記第１の制御信号に基づいて上記収音手段で収音させたときの上記音比較手段の比較結果を受けて、収音した音が異常音であると判定すると、上記第２の制御信号により上記撮像手段を駆動して画像データを上記画像処理手段に入力させ、当該画像処理手段による撮像画像データと収音した音情報を上記通信手段に送信させる第１の制御手段と、
を有し、
上記管理装置は、
通信機能を有する第２の通信手段と、
複数の通信端末装置の個々の通信に関する情報を記憶するデータベースと、
上記第２の通信手段により、通信端末装置と通信がなされると、上記データベースを参照して当該通信端末装置の上記通信に関する情報を特定した後、当該情報に基づいて通信を開始するように上記第２の通信手段を制御する第２の制御手段と、
を有する
ことを特徴とする通信システム。
【発明の詳細な説明】
【技術分野】
【０００１】
本発明は、たとえば防犯システムに適用可能なカメラ付き携帯電話機等の通信端末装置および通信システムに関するものである。
【背景技術】
【０００２】
近年、無線通信端末としての携帯電話機にカメラモジュールを搭載することが一般的となっている。そして、カメラモジュールを備えた携帯電話機により撮影した画像を無線通信網を介して第３者に送信（配信）することが行われている。
【０００３】
このカメラモジュールを備えた携帯電話機を使用する際、利用者は、シャッターキー（撮影キー）を操作して撮影を行う。
その一方で、人が常駐できない場所、たとえば留守宅等において周囲の被写体を撮影する等のために、上述したカメラモジュールを備えた携帯電話機の撮影動作を遠隔で制御したいという要望に答えて、無線通信による撮影要求に応じて、カメラ撮影を実行する携帯電話機も提案されている。
【０００４】
このように、携帯電話機等の通信端末装置がカメラモジュールを搭載するようになってきていることから、これらの通信端末装置を、防犯システムに利用することが提案されている。
このようなシステムにおける異常検出としては、カメラモジュールで撮像した画像データと基準画像とを比較して、差異が生じた場合に、そのデータを管理センタ等に送信する。
【特許文献１】特開平１１−２７５５８１号公報
【発明の開示】
【発明が解決しようとする課題】
【０００５】
ところが、従来のシステムでは、異常検出がカメラモジュールで監視（撮影）できる範囲に限られており、それ以外の範囲に異常が発生したとしても、その異常を検出できず、結果として監視、防犯ができなくなるという不利益がある。
【０００６】
また、上述した従来のシステムにおいては、カメラモジュールで異常を検出すると、異常データを管理センタに送信するのみであることから、たとえば留守中あるいは留守宅に帰宅する場合に、事前に家内に異常があるか否かを撮影範囲外の異常の有無を含むより確かな情報で確認することができないという不利益がある。
【０００７】
本発明は、かかる事情に鑑みてなされたものであり、その目的は、撮像範囲はもとより、撮像範囲外の異常を検出することが可能で、また、異常の有無をより確かな情報で確認することが可能な通信端末装置および通信システムを提供することにある。
【課題を解決するための手段】
【０００８】
上記目的を達成するため、本発明の第１の観点は、通信機能を有する通信手段と、第１の制御信号を受けて周囲音を収音する収音手段と、第２の制御信号を受けて撮影動作を行う撮像手段と、上記撮像手段で撮影した画像データに対して所定の処理を行う画像処理手段と、上記収音手段で収音した音情報とあらかじめ設定した基準音情報とを比較する音比較手段と、上記第１の制御信号に基づいて上記収音手段で収音させたときの上記音比較手段の比較結果を受けて、収音した音が異常音であると判定すると、上記第２の制御信号により上記撮像手段を駆動して画像データを上記画像処理手段に入力させ、当該画像処理手段による撮像画像データと収音した音情報を上記通信手段に送信させる制御手段とを有する。
【０００９】
好適には、計時手段を有し、上記制御手段は、上記計時手段の計時結果に基づく上記異常音を収音した時刻情報を、上記通信手段に上記画像処理手段による現画像データと収音した音情報と共に送信させる。
【００１０】
好適には、上記制御手段は、  上記制御手段は、上記第１の制御信号を上記収音手段に出力して、あらかじめ設定した期間収音動作を行わせる。
【００１１】
好適には、上記画像処理手段により所定の処理が行われた画像データを記憶する記憶手段を有し、上記制御手段は、上記収音動作と異なるタイミングにおいて、上記第２の制御信号により上記撮像手段に撮影動作を行わせ、得られた現画像データと上記記憶手段に記憶されている以前の画像データとを比較した結果、両画像データ間に差異があると判定すると、少なくとも上記画像処理手段による現画像データと収音した音情報を上記通信手段に送信させる。
【００１２】
好適には、計時手段を、さらに有し、上記制御手段は、上記計時手段の計時結果に基づく上記現画像データを撮影した時刻情報を、上記通信手段に上記画像処理手段による現画像データと収音した音情報と共に送信させる。
【００１３】
好適には、第３の制御信号を受けて異常がある旨を報知する報知手段を有し、上記制御手段は、収音した音が異常音であると判定した場合に、上記第３の制御信号を上記報知手段に出力して異常がある旨を報知させる。
【００１４】
好適には、上記制御手段は、所定の通信先からの着信があった際に、上記第１の制御信号を上記収音手段に出力して収音動作を行わせる。
【００１５】
本発明の第２の観点は、通信端末装置と、当該通信端末装置と通信網を介して通信可能な管理装置とを含む通信システムであって、上記通信端末装置は、通信機能を有する第１の通信手段と、第１の制御信号を受けて周囲音を収音する収音手段と、第２の制御信号を受けて撮影動作を行う撮像手段と、上記撮像手段で撮影した画像データに対して所定の処理を行う画像処理手段と、上記収音手段で収音した音情報とあらかじめ設定した基準音情報とを比較する音比較手段と、上記第１の制御信号に基づいて上記収音手段で収音させたときの上記音比較手段の比較結果を受けて、収音した音が異常音であると判定すると、上記第２の制御信号により上記撮像手段を駆動して画像データを上記画像処理手段に入力させ、当該画像処理手段による撮像画像データと収音した音情報を上記通信手段に送信させる第１の制御手段と、を有し、上記管理装置は、通信機能を有する第２の通信手段と、複数の通信端末装置の個々の通信に関する情報を記憶するデータベースと、上記第２の通信手段により、通信端末装置と通信がなされると、上記データベースを参照して当該通信端末装置の上記通信に関する情報を特定した後、当該情報に基づいて通信を開始するように上記第２の通信手段を制御する第２の制御手段と、を有する。
【発明の効果】
【００１６】
本発明によれば、撮像範囲はもとより、撮像範囲外の異常を検出することが可能で、また、異常の有無をより確かな情報で確認することができる利点がある。
【発明を実施するための最良の形態】
【００１７】
以下、本発明の実施形態を添付図面に関連付けて説明する。
【００１８】
図１は、発明に係る通信端末装置として携帯電話機を採用した無線通信システムの一実施形態を示すシステム構成図である。
【００１９】
本実施形態に係る無線通信システム１０は、複数の通信端末装置として携帯電話機１１−１〜１１−ｎ、無線通信網２０、および管理装置としての管理センタ３０を主構成要素として有している。
【００２０】
本実施形態においては、たとえば複数の携帯電話機１１−１〜１１−ｎのうち、いずれか１つが、留守宅の現金や宝石、あるいは重要書類が保管してある部屋の全体が見渡せる位置に、カメラモジュールの光学系が保管領域を向くように配置される。むろん、カメラモジュール自体が全方位撮影可能なモジュールであってもよい。
【００２１】
各携帯電話機１１−１〜１１−ｎは同様の機能を有し、通常の携帯電話機の機能に加えて、搭載したカメラモジュールによる撮像機能、並びに、収音機能を有し、たとえば留守番モードに設定されると、収音手段としてのマイクロフォンで所定時間（たとえば５秒間）収音した音情報とあらかじめ設定した基準音情報とを比較し、収音した音が異常音であると判定すると、カメラモジュールを駆動して撮像画像データを得、撮像画像データと収音した音情報を、たとえば時刻情報と共に、無線により通信網２０を介して管理センタ３０に送信する機能を有する。
また、携帯電話機１１−１〜１１−ｎは、留守番モード時には、収音動作と異なるタイミング（たとえば収音機能をスタートさせてから３０秒経過後）においてカメラモジュールを駆動して撮像画像データを得、得られた現画像データとメモリに記憶してある以前の画像データとを比較した結果、両画像データ間に差異があると判定すると、現画像データと収音した音情報を、たとえば時刻情報と共に、無線により通信網２０を介して管理センタ３０に送信する機能を有する。
また、携帯電話機１１−１〜１１−ｎは、収音した音が異常音であると判定した場合に、異常がある旨を、たとえば警報としてスピーカから発音させる機能を有し、また、所定の通信先、たとえば外出者が所有している携帯電話機から着信があった際には、強制的に収音動作を行わせる機能を有する。
【００２２】
図２は、本実施形態に係る携帯電話機の構成例を示すブロック図である。また、図３（Ａ），（Ｂ）は、本実施形態に係る携帯電話機の外観の一例を示す図である。
【００２３】
図２に示すように、携帯電話機１１（−１〜−ｎ）は、送受信アンテナ１１１ａを含む通信処理部１１１、内部時計を含む計時部１１２、メモリ１１３、キー入力部１１４、撮像部１１５、撮像スイッチ１１６、表示部１１７、収音手段としての音声処理部１１８、および第１の制御手段および画像処理手段としての制御部１１９を有している。
【００２４】
図３（Ａ）に示すように、携帯電話機１１（−１〜−ｎ）の本体ケース１１０の正面側に、送受信アンテナ１１１ａと、キー入力部１１４と、表示部１１７と、スピーカ１１８ａと、マイクロフォン１１８ｂが配設されている。
また、携帯電話機１１（−１〜−ｎ）の本体ケース１１０の背面側に、撮像部１１５の対物レンズを含む光学系、および撮像スイッチ１１６が配置されている。
【００２５】
通信処理部１１１は、電波を利用した無線通信を行うために、制御部１１９で処理された画像データ、音声情報、電子メール等の各種情報を変調して送受信アンテナ１１１ａを通して図示しない基地局を含む通信網２０に送信する。
また、通信処理部１１１は、管理センタ３０から通信網２０を介して送信されてくる画像データ、音声情報、電子メール等を送受信アンテナ１１１ａを通して受信し、受信した各種情報を復調して制御部１１９に出力する。
【００２６】
計時部１１２は、たとえば内部時計を含み現時刻を計時する。
計時部１１２の時刻情報は、制御部１１９によりアクセスされ、参照される。
【００２７】
メモリ１１３は、ＥＥＰＲＯＭ等の不揮発性メモリを含み、撮像部１１５により撮影され、圧縮された画像データ、たとえば現画像データおよび以前にあからじめ撮像した画像データを格納する。
また、メモリ１１３は、あらかじめ設定された基準音情報としての音声パラメータ（音量データ）を格納する。
【００２８】
キー入力部１１４は、終了（終話）／電源キー、開始（発呼）キー、数字等に対応した複数のテンキー等を有し、これらのキーが操作されることにより、ユーザからの入力情報を制御部１１９に供給する。
【００２９】
撮像部１１５は、被写体像を取り込むための対物レンズを含む光学系と、光学系により結像された被写体の像を電気信号に変換する撮像素子を含む撮像処理回路とを有する。
撮像部１１５は、制御部１１９により第２の制御信号ＣＴＬ２を受けて撮影動作を行う。
なお、この撮像処理回路および制御部１１９により本発明に係る画像処理手段が構成される。
【００３０】
光学系は、たとえば図３（Ｂ）に示すように、ユーザから見て相手側が撮影できるように、携帯電話機１１の本体ケース１１０の背面側に配置され、撮像処理回路の撮像素子の受光面上に被写体の光学像を結像する。
【００３１】
撮像処理回路は、光学系により結像された被写体の光学像を電気信号に変換する。
具体的には、撮像処理回路において、被写体の像は、撮像素子の２次元平面上に画素単位で配置される複数の受光素子により受光される。その際、受光素子上のカラーフィルタを通して、色の情報を光３原色（Ｒ，Ｇ，Ｂ）に分解して取り込む。
そして、撮像処理回路は、各画素の輝度値が電圧に変換し、順にアナログ／デジタル（Ａ／Ｄ）変換器によってデジタルデータに変換して、制御部１１９に供給する。
なお、撮像素子としては、たとえばＣＣＤやＣＭＯＳセンサが適用される。
【００３２】
撮像スイッチ１１６は、ユーザが所望する被写体を撮像する場合に、光学系を被写体に向けた状態で操作される。たとえば、留守宅の現金や宝石、あるいは重要書類が保管してある部屋の保管領域をあらかじめ撮像しておき、この撮像した画像を比較基準の画像としてメモリ１１３に格納させておく場合等に操作される。
なお、撮像スイッチ１１６の配置位置を、携帯電話機１１の本体ケース１１０の背面側の撮像部１１５の配置位置の近傍としているが、この位置に限定されるものではない。
撮像スイッチ１１６が操作されると、撮影モードとなって制御部１１９から第２の制御信号ＣＴＬ２が撮像部１１５に出力されて、光学系により被写体の光学像が撮影され、撮影された画像データが撮像処理回路で所定の処理を受けて制御部１１９に供給される。
【００３３】
表示部１１７は、液晶表示装置（ＬＣＤ）等の表示デバイスを有し、通話機能のために入力した電話番号や各種メッセージ、テキストデータ等を表示する。
また、撮影モードにおいて、撮像部１１５により得られた被写体の画像が表示部１１７に表示される。
【００３４】
音声処理部１１８は、音声処理回路を有し、通話機能のために音声出力を行うスピーカ１１８ａと、音声入力を行うマイクロフォン１１８ｂとが接続されている。
音声処理部１１８は、無線通信モードにおいて、マイクロフォン１１８ｂにより収音した音声に対して所定の処理を行って制御部１１９に出力する。
音声処理部１１８は、制御部１１９により供給された音声情報に対して所定の処理を行ってスピーカ１１８ａから放音させる。
また、音声処理部１１８は、たとえば留守番モードにおいて、制御部１１９により第１の制御信号ＣＴＬ１を所定時間（たとえば５秒間）受けるごとに、マイクロフォン１１８ｂにより所定時間周囲音の収音処理を行い、収音した周囲音に対して所定の処理を行って制御部１１９に出力する。
また、音声処理部１１８は、たとえば留守番モードにおいて、相手先から着信があって制御部１１９から第１の制御信号ＣＴＬ１を受けた場合にも、マイクロフォン１１８ｂによりたとえば所定時間周囲音の収音動作を行い、収音した周囲音に対して所定の処理を行って制御部１１９に出力する。
また、音声処理部１１８は、たとえば留守番モードにおいて、収音した結果、制御部１１９で異常音であると判定された場合には、制御部１１９の指令に基づき異常がある旨を示す所定の警報音をスピーカ１１８ａから発音させる。
【００３５】
制御部１１９は、マイクロコンピュータを主体として構成され、携帯電話機１１の全体の制御を行う。
たとえば、制御部１１９は、通信処理部１１１における各種情報の無線による送受信の制御、第２の制御信号ＣＴＬ２による撮像部１１５の撮影制御、第１の制御信号ＣＴＬ１による音声処理部１１８に対する音声情報の処理、表示部１１７への情報の表示制御、キー入力部１１４の入力情報に応じた処理、メモリ１１３に対するアクセス制御等を行う。
【００３６】
制御部１１９は、たとえば無線通信モードと留守番モードの２つの制御モードで動作可能である。
無線通信モードは、通信処理部１１１を通して無線通信が可能なモードであり、制御部１１９は、表示部１１７に電源起動直後の標準画面（いわゆる待ち受け画面）を表示させる。無線通信モードにおいては、キー入力部１１４の操作により発呼動作等を行うことが可能である。
【００３７】
また、制御部１１９は、録音タイマと撮影タイマとを有し、留守番モードにおいては、収音機能をスタートさせてから所定時間、第１の制御信号ＣＴＬ１を音声処理部１１８に出力して収音手段としてのマイクロフォン１１８ｂで所定時間収音した音情報とあらかじめ設定しメモリ１１３に格納されている基準音情報（音量を示す音パラメータ）を比較し、たとえば大きく音量が異なったり、大きく周波数成分が異なったりすると、収音した音が異常音であると判定し、第２の制御信号ＣＴＬ２を撮像部１１５に出力して、相対する位置にある被写体を撮影させて、撮像画像データを得、撮像画像データと収音した音情報を、計時部１２による時刻情報と共に、通信処理部１１１に無線により通信網２０を介して管理センタ３０に送信させる。
さらに、制御部１１９は、収音した結果、異常音であると判定した場合には、音声処理部１１８を制御して異常がある旨を示す所定の警報音をスピーカ１１８ａから発音させる。
【００３８】
制御部１１９は、収音処理および比較処理を行う場合、たとえば第１の制御信号ＣＴＬ１を５秒間音声処理部１１８に出力して、「５秒間分」の周囲音を取り込み、この平均をとって基準音情報と比較することにより正確な音量比較を行うことができるように構成される。また、周波数成分について比較する場合にも、同様に周波数特性のカーブで平均をとって基準と比較するように構成することも可能である。また、音量について比較を行う場合には、５秒間分の収音情報にうち、最大音量の部分について比較を行うように構成することも可能である。
【００３９】
制御部１１９は、留守番モードにおいて、収音動作と異なるタイミング、具体的には、たとえば収音機能をスタートさせてから３０秒経過後において、第２の制御信号ＣＴＬ２を撮像部１１５に出力して、相対する位置にある被写体を撮影させて、撮像画像データを得、得られた現画像データとメモリ１１３に格納してある以前の画像データ、たとえば留守宅の現金や宝石、あるいは重要書類が保管してある部屋の保管領域をあらかじめ撮像しておいた基準画像データとを比較し、その結果、両画像データ間に差異があると判定すると、現画像データと収音した音情報を、計時部１２による時刻情報と共に、通信処理部１１１に無線により通信網２０を介して管理センタ３０に送信させる。
画像の比較は、たとえばあらかじめ撮像しておいた画像の所定量（色データの分布など）を算出しておき、この所定量に基づき最新に撮影された画像の所定量とを比較する。
制御部１１９は、この所定量の差が基準差より大きい場合に両画像データ間に差異があると判定する。
【００４０】
また、制御部１１９は、たとえば留守番モードにおいて、所定の通信先、たとえば外出者が所有している携帯電話機、あるいは管理センタ３０からの発呼に対する着信があった際には、第１の制御信号ＣＴＬ１を所定時間（たとえば５秒間）音声処理部１１８に出力してマイクロフォン１１８ｂで収音した音情報とあらかじめ設定しメモリ１１３に格納されている基準音情報（音パラメータ）を比較し、たとえば大きく音量が異なったり、大きく周波数成分が異なったりすると、収音した音が異常音であると判定し、第２の制御信号ＣＴＬ２を撮像部１１５に出力して、相対する位置にある被写体を撮影させて、撮像画像データを得、撮像画像データと収音した音情報を、計時部１２による時刻情報と共に、通信処理部１１１に無線により通信網２０を介して管理センタ３０に送信させる。
さらに、制御部１１９は、収音した結果、異常音であると判定した場合には、音声処理部１１８を制御して異常がある旨を示す所定の警報音をスピーカ１１８ａから発音させる。
【００４１】
なお、この着信の際も、制御部１１９は、収音処理および比較処理を行う場合、たとえば第１の制御信号ＣＴＬ１を５秒間音声処理部１１８に出力して、「５秒間分」の周囲音を取り込み、この平均をとって基準音情報と比較することにより正確な音量比較を行うことができるように構成される。また、周波数成分について比較する場合にも、同様に周波数特性のカーブで平均をとって基準と比較するように構成することも可能である。また、音量について比較を行う場合には、５秒間分の収音情報にうち、最大音量の部分について比較を行うように構成することも可能である。
【００４２】
管理装置としての管理センタ３０は、各携帯電話機１１−１〜１１−ｎにより送信されてくる撮像画像データ、収音した音情報、および時刻情報に基づいて、各携帯電話機１１−１〜１１−ｎが位置するその周辺状況を一元的に管理するように構成される。
以下に、本実施形態に係る管理センタの具体的な構成および機能について、図面に関連付けて説明する。
【００４３】
図４は、本実施形態に係る管理センタの構成例を示すブロック図である。
【００４４】
管理センタ３０は、図４に示すように、送受信アンテナ３０１ａを含む通信処理部３０１、データベース部３０２、入力部３０３、表示部３０４、および第２の制御手段としての制御部３０５を有する。
【００４５】
通信処理部３０１は、電波を利用した無線通信を行うために、制御部３０５で処理された画像データ、テキストデータ等の各種情報、データベース３０２に登録された登録者の電話番号や電子メールアドレス等を変調して送受信アンテナ３０１ａにより図示しない基地局に送信する。
また、通信処理部３０１は、携帯電話機１１−１〜１１−ｎと無線通信を行う。
すなわち、通信網２０を介して基地局から無線により送信され、送受信アンテナ３０１ａで受信した画像データ、音情報、テキストデータ等の情報を復調して制御部３０５に出力する。
なお、通信処理部３０１は、送受信アンテナ３０１ａを備える無線通信を行う手段であることを示したが、インターネット等の通信網に接続可能であれば無線・有線のいかんを問わない。
【００４６】
データベース部３０２は、ハードディスク装置やＥＥＰＲＯＭ等の不揮発性メモリにより構成される。
データベース部３０２には、図５に示すように、各携帯電話機１１−１〜１１−ｎの携帯者（Ａ〜Ｆ、・・・）とそれぞれ関連付けられた通信に関する情報である電話番号やメールアドレス等の各携帯電話機（保有者）に付随したデータが各携帯電話機毎（保有者毎）に記憶されている。
また、データベース部３０２には、管理センタ３０が各携帯電話機１１−１〜１１−ｎから送信された通信処理部３０１で受信された画像データや音情報が格納される。
【００４７】
入力部３０３は、キーボードやマウス等により構成される。
管理センタ３０の管理者は、データベース部３０２に登録されている情報、たとえば図５に示す保有者、電話番号等の情報を更新するために入力部３０３を操作する。
【００４８】
表示部３０４は、各携帯電話機１１−１〜１１−ｎから送信されてきた画像データや入力部３０３による入力情報等、各種情報が制御部３０５の制御下で表示できるように構成されている。
【００４９】
制御部３０５は、マイクロコンピュータを主体として構成され、管理センタ３０の全体の制御を行う。
たとえば制御部３０５は、通信処理部３０１における各種情報の無線による送受信の制御、入力部３０３に入力情報に応じた処理、データベース部３０２に対するアクセス制御等を行う。
【００５０】
制御部３０５は、携帯電話機１１−１〜１１−ｎのいずれかから画像データ、音情報、および時刻情報を受信すると、データベース部３０２に蓄積されている情報（たとえば電話番号）に基づいて、画像データ等を発信した携帯電話機を特定し、また、受信した画像データ、音情報、および時刻情報をデータベース部３０２に格納する。
そして、制御部３０５は、データベース部３０２に格納した、たとえば携帯電話機１１−１の配置されている周辺に異常が起きていることを示す情報を、他の少なくとも一つの携帯電話機、たとえば外出者が所有している携帯電話機１１−２あるいは／および所定の契約を交わしている警備員が所有している携帯電話機１１−３に対して、通信処理部３１１により発信させる。
【００５１】
制御部３０５は、留守番モードになっているたとえば携帯電話機１１−１の所有者であって、他の少なくとも一つのたとえば携帯電話機１１−２を携帯している外出者から留守番モードになっている携帯電話機に対する発呼があった場合には、データベース部３０２に格納されている電話番号に基づいて携帯電話機１１−１を発呼し、これ着信した携帯電話機１１−１において収音した結果、異常があって、携帯電話機１１−１からの画像データ、音情報、および時刻情報を受信すると、携帯電話機１１−１の配置されている周辺に異常が起きていることを示す情報を外出者が所有している携帯電話機１１−２あるいは／および所定の契約を交わしている警備員が所有している携帯電話機１１−３に対して、通信処理部３１１により発信させる。
また、制御部３０５は、発呼してからあらかじめ設定した時間が経過しても携帯電話機１１−１から画像データ、音情報、および時刻情報を受信しない場合には、異常が発生していないものとして判断し、携帯電話機１１−１の配置されている周辺に異常が起きていないことを示す情報を、外出者が所有している携帯電話機１１−２に対して発信する。
【００５２】
次に、本実施形態に係る無線通信システムの留守番モード時の動作を、図６、図７、および図８のフローチャートに関連付けて説明する。
図６は、本実施形態に係る留守番モード時の収音を中心とした動作を説明するためのフローチャートである。
図７は、本実施形態に係る留守番モード時の撮像を中心とした動作を説明するためのフローチャートである。
図８は、本実施形態に係る留守番モード時の着信時を中心とした動作を説明するためのフローチャートである。
【００５３】
たとえば複数の携帯電話機１１−１〜１１−ｎのうち携帯電話機１１−１を、留守宅の現金や宝石、あるいは重要書類が保管してある部屋の全体が見渡せる位置に、カメラモジュールの光学系が保管領域を向くように配置する。
そして、携帯電話機１１−１における撮像スイッチ１１６を操作し、留守宅の現金や宝石、あるいは重要書類が保管してある部屋の保管領域をあらかじめ撮像し、撮像画像を制御部１１９により比較基準の画像データとしてメモリ１１３に格納させておく（ＳＴ１）。
また、入力部１１４により基準音情報としての所望の音量パラメータを入力（たとえば、現状の周囲の音を取得し、パラメータ化して保持）し、制御部１１９を通してメモリ１１３に格納させておく（ＳＴ２）。
また、留守番モードにおいて、音声処理部１１８のマイクロフォン１１８ｂにより周囲音を収音（録音）する第１の時間間隔、たとえば１０秒を入力部１１４により入力し、制御部１１９の録音タイマを初期設定する。同様に、撮像部１５により保管領域を撮像する第２の時間間隔、たとえば３０秒を入力部１１４により入力し、制御部１１９の撮影タイマを初期設定する（ＳＴ３，ＳＴ４）。この初期設定した第１および第２の時間間隔は、たとえば留守番モード中、あるいは再設定されるまで、制御部１１９に保持される。
そして、外出しようとする者は、たとえば携帯電話機１１−２を携帯して外出する。
【００５４】
ここで、収音機能（録音タイマ）がスタートし（ＳＴ５）、たとえば、制御部１１９が第１の制御信号ＣＴＬ１を５秒間音声処理部１１８に出力して、マイクロフォン１１８ｂ「５秒間分」の周囲音を収音させ（ＳＴ６）、この収音した「５秒間分」の音情報（音量情報）を得、たとえばメモリ１１３に格納する。
なお、収音機能がスタートしてから５秒を経過していない間は、後で詳述する図７のステップＳＴ１５の処理に移行し、収音機能をスタートとしてから３０秒経過したか否かの判定を行う。
【００５５】
ステップＳＴ６において、５秒経過したと判定すると、制御部１１９においては、収音した「５秒間分」の周囲音情報（音量）とあらかじめ設定したメモリ１１３に格納されている基準音情報としての音量パラメータとを比較し、たとえば収音した音量が音量パラメータにより大きいか否かの判定を行う（ＳＴ７）。この場合、制御部１１９は、たとえば「５秒間分」の周囲音を取り込み、この平均をとって基準音情報と比較することにより正確な音量比較を行う。
ステップＳＴ７において、収音した音の音量があらかじめ設定した音量パラメータより大きいと判定した場合には、制御部１１９は、収音した音が異常音であると判断し、この異常音の検知時刻を計時部１１２をアクセスして得、たとえばメモリ１１３に記憶する（ＳＴ８）。
【００５６】
次に、制御部１１９は、第２の制御信号ＣＴＬ２を撮像部１１５に出力して、相対する位置にある被写体を撮影させて、撮像画像データを得（ＳＴ９）、たとえばメモリ１１３に格納する。
制御部１１９は、撮像画像データと収音した音情報を、計時部１２による時刻情報と共に、通信処理部１１１に無線により通信網２０を介して管理センタ３０に送信させる（ＳＴ１０）。
そして、制御部１１９は、音声処理部１１８を制御して異常がある旨を示す所定の警報音をたとえば５秒間、スピーカ１１８ａから発音させる（ＳＴ１１、ＳＴ１２）。
この音により、たとえば外出せず他の部屋に残っていた家族に異常が発生した旨を報知し、あるいは留守宅に侵入した不信者に対して、監視している旨を報知することになる。
制御部１１９は、５秒間だけ警報を放音させた後、収音（録音）タイマをリセットする（ＳＴ１３）。
【００５７】
また、ステップＳＴ７において、たとえば収音した音の音量があらかじめ設定した音量パラメータより大きくないと判定した場合には、制御部１１９は、収音した音が異常音でないと判断し、メモリ１１３に保持した収音した音情報（音量情報）を削除して、図７のステップＳＴ１５の処理に移行する（ＳＴ１４）。
【００５８】
図７の処理では、まず、収音機能（収音タイマ）がスタートしてから３０秒を経過する（ＳＴ１５）と、制御部１１９が第２の制御信号ＣＴＬ２を撮像部１１５に出力して、相対する位置にある被写体を撮影させて、撮像画像データを得（ＳＴ１６）、メモリ１１３に格納する。
制御部１１９は、得られた現画像データとメモリ１１３に格納してある以前の画像データ、すなわち留守宅の現金や宝石、あるいは重要書類が保管してある部屋の保管領域をあらかじめ撮像しておいた画像データとを比較する（ＳＴ１７）。
比較の結果、両画像データ間に差異があると判定すると（ＳＴ１８）、この画像を取り込んだ時刻を計時部１１２をアクセスして得、たとえばメモリ１１３に記憶する（ＳＴ１９）。
そして、たとえば制御部１１９が第１の制御信号ＣＴＬ１を所定時間音声処理部１１８に出力して、マイクロフォン１１８ｂで収音させ、この収音した音情報（音量情報）を得、たとえばメモリ１１３に格納する（ＳＴ２０）。
【００５９】
制御部１１９は、撮像画像データと収音した音情報を、計時部１２による時刻情報と共に、通信処理部１１１に無線により通信網２０を介して管理センタ３０に送信させる（ＳＴ２１）。
そして、制御部１１９は、音声処理部１１８を制御して異常がある旨を示す所定の警報音をたとえば５秒間、スピーカ１１８ａから発音させる（ＳＴ２２、ＳＴ２３）。
この音により、たとえば外出せず他の部屋に残っていた家族に異常が発生した旨を報知し、あるいは留守宅に侵入した不信者に対して、監視している旨を報知することになる。
制御部１１９は、５秒間だけ警報を放音させた後、撮影タイマをリセットし（ＳＴ２４）、ループに入る（ＳＴ２５）。
【００６０】
ステップＳＴ１８において、両画像データ間に差異がないと判定すると、取り込んだ画像データをメモリ１１３から削除して、ステップＳＴ２５のループ処理に移行する（ＳＴ２６）。
また、ステップＳＴ１５において、３０秒経過していないと判定した場合も、ステップＳＴ２５のループ処理に移行する。
【００６１】
異常があって、携帯電話機１１−１から画像データ、音情報、および時刻情報を受信した管理センタ３０において、制御部３０５は、データベース部３０２に蓄積されている情報（たとえば電話番号）に基づいて、画像データ等を発信した携帯電話機を特定し、また、受信した画像データ、音情報、および時刻情報をデータベース部３０２に格納する。
そして、制御部３０５は、データベース部３０２に格納した特定した、携帯電話機１１−１の配置されている周辺に異常が起きていることを示す情報を、警備員が所有している携帯電話機１１−３に対して、あるいは／および外出者が所有している携帯電話機１１−２に対して発信させる。
【００６２】
また、留守番モードになっているたとえば携帯電話機１１−１の所有者であって、他の少なくとも一つのたとえば携帯電話機１１−２を携帯している外出者から留守番モードになっている携帯電話機に対する発呼があった場合には、管理センタ３０は、データベース部３０２に格納されている電話番号に基づいて携帯電話機１１−１を発呼する。
【００６３】
そして、図８に示すように、着信があると（ＳＴ３１）、携帯電話機１１−１の制御部１１９は、第１の制御信号ＣＴＬ１をたとえば５秒間音声処理部１１８に出力して、マイクロフォン１１８ｂで収音させ（ＳＴ３２）、この収音した「５秒間分」の音情報（音量情報）を得、たとえばメモリ１１３に格納する。
制御部１１９においては、収音した「５秒間分」の周囲音情報（音量）とあらかじめ設定しメモリ１１３に格納されている基準音情報としての音量パラメータとを比較し、収音した音量が音量パラメータにより大きいか否かの判定を行う（ＳＴ３３）。
ステップＳＴ３３において、収音した音の音量があらかじめ設定した音量パラメータより大きいと判定した場合には、制御部１１９は、収音した音が異常音であると判断し、この異常音の検知時刻を計時部１１２をアクセスして得、たとえばメモリ１１３に記憶する（ＳＴ３４）。
【００６４】
次に、制御部１１９は、第２の制御信号ＣＴＬ２を撮像部１１５に出力して、相対する位置にある被写体を撮影させて、撮像画像データを得（ＳＴ３５）、たとえばメモリ１１３に格納する。
制御部１１９は、撮像画像データと収音した音情報を、計時部１２による時刻情報と共に、通信処理部１１１に無線により通信網２０を介して管理センタ３０に送信させる（ＳＴ３６）。
そして、制御部１１９は、音声処理部１１８を制御して異常がある旨を示す所定の警報音をたとえば５秒間、スピーカ１１８ａから発音させる（ＳＴ３７、ＳＴ３８）。
この音により、たとえば外出せず他の部屋に残っていた家族に異常が発生した旨を報知し、あるいは留守宅に侵入した不信者に対して、監視している旨を報知することになる。
【００６５】
携帯電話機１１−１から異常があって、画像データ、音情報、および時刻情報を受信した管理センタ３０において、制御部３０５は、データベース部３０２に蓄積されている情報（たとえば電話番号）に基づいて、画像データ等を発信した携帯電話機を特定し、また、受信した画像データ、音情報、および時刻情報をデータベース部３０２に格納する。
そして、制御部３０５は、データベース部３０２に格納した特定した、携帯電話機１１−１の配置されている周辺に異常が起きていることを示す情報を、警備員が所有している携帯電話機１１−３に対して、あるいは／および外出者が所有している携帯電話機１１−２に対して発信させる。
【００６６】
また、ステップＳＴ３３において、たとえば収音した音の音量があらかじめ設定した音量パラメータより大きくないと判定した場合には、制御部１１９は、収音した音が異常音でないと判断し、メモリ１１３に保持した収音した音情報（音量情報）を削除して、ステップＳＴ３１の処理、すなち着信待状態に移行する（ＳＴ３９）。
この場合、管理センタ３０は、異常を示す画像データ、音情報、および時刻情報を受信しないことから、たとえば発呼してからあらかじめ設定した時間が経過すると、異常が発生していないものとして判断し、携帯電話機１１−１の配置されている周辺に異常が起きていないことを示す情報を、外出者が所有している携帯電話機１１−２に対して発信する。
【００６７】
以上説明したように、本実施形態によれば、留守番モードにおいて、第１の制御信号ＣＴＬ１を所定時間音声処理部１１８に出力して収音手段としてのマイクロフォン１１８ｂで収音した音情報とあらかじめ設定しメモリ１１３に格納されている基準音情報（音パラメータ）を比較し、収音した音が異常音であると判定すると、第２の制御信号ＣＴＬ２を撮像部１１５に出力して、相対する位置にある被写体を撮影させて、撮像画像データを得、撮像画像データと収音した音情報を、計時部１２による時刻情報と共に、通信処理部１１１に無線により通信網２０を介して管理センタ３０に送信させ、また、収音動作と異なるタイミングにおいて、第２の制御信号ＣＴＬ２を撮像部１１５に出力して、相対する位置にある被写体を撮影させて、撮像画像データを得、得られた現画像データとメモリ１１３に格納してある以前の画像データ、たとえば留守宅の現金や宝石、あるいは重要書類が保管してある部屋の保管領域をあらかじめ撮像しておいた画像データとを比較し、その結果、両画像データ間に差異があると判定すると、現画像データと収音した音情報を、計時部１２による時刻情報と共に、信処理部１１１に無線により通信網２０を介して管理センタ３０に送信させる制御部１１９を有することから、撮像範囲はもとより、撮像範囲外の異常を検出することが可能となる利点がある。
また、携帯電話機の所有者や、出動要請を行う警備員の携帯電話機に的確に情報の配信を行うことができ、しかも迅速な対応が可能となる。
【００６８】
制御部１１９は、たとえば留守番モードにおいて、所定の通信先、たとえば外出者が所有している携帯電話機、あるいは管理センタ３０から着信があった際には、第１の制御信号ＣＴＬ１を音声処理部１１８に出力してマイクロフォン１１８ｂで収音した音情報とあらかじめ設定しメモリ１１３に格納されている基準音情報（音パラメータ）を比較し、収音した音が異常音であると判定すると、第２の制御信号ＣＴＬ２を撮像部１１５に出力して、相対する位置にある被写体を撮影させて、撮像画像データを得、撮像画像データと収音した音情報を、計時部１２による時刻情報と共に、通信処理部１１１に無線により通信網２０を介して管理センタ３０に送信させる機能を有することから、異常の有無をより確かな情報で確認することが可能となる利点がある。
【００６９】
制御部１１９は、収音した結果、異常音であると判定した場合には、音声処理部１１８を制御して異常がある旨を示す所定の警報音をスピーカ１１８ａから発音させることから、外出せず他の部屋に残っていた家族に異常が発生した旨を報知し、あるいは留守宅に侵入した不信者に対して、監視している旨を報知することできる。
【００７０】
このように、本実施形態によれば、通信端末装置を用いて、いわゆるホームセキュリティシステムを構築することができ、導入のコスト削減を図れ、ホームセキュリティシステムの汎用性を高めることが可能となる利点がある。
また、異常発生時以外にも、ユーザの遠隔地からの操作により収音、撮像が可能なため、ホームセキュリティのシステムだけではなく、観察などのへの応用も可能である。
【００７１】
なお、本発明の実施の形態の説明として、通信端末装置を例として携帯電話機を適用したが、これに限られるものではなく、専用の装置であってもよい。
また、撮像部により撮影として、静止画像の撮影を例に実施形態を説明したが、動画の撮影であっても良いことはいうまでもない。
この場合、撮影を行う第２の制御信号ＣＴＬを受けて動画の取得を開始し、たとえば１分間といった所定時間分の動画を取得してから静止画像の場合と同様に、送信するように構成すれば良い。
【図面の簡単な説明】
【００７２】
【図１】発明に係る通信端末装置として携帯電話機を採用した無線通信システムの一実施形態を示すシステム構成図である。
【図２】本実施形態に係る携帯電話機の構成例を示すブロック図である。
【図３】本実施形態に係る携帯電話機の外観の一例を示す図である。
【図４】本実施形態に係る管理センタの構成例をブロック図である。
【図５】本実施形態に係るデータベース部に格納されるデータの一例を示す図である。
【図６】本実施形態に係る留守番モード時の収音を中心とした動作を説明するためのフローチャートである。
【図７】本実施形態に係る留守番モード時の撮像を中心とした動作を説明するためのフローチャートである。
【図８】本実施形態に係る留守番モード時の着信時を中心とした動作を説明するためのフローチャートである。
【符号の説明】
【００７３】
１０…無線通信システム、１１（−１〜−ｎ）…携帯電話機、１１１…通信処理部、１１２…計時部、１１３…メモリ、１１４…キー入力部、１１５…撮像部、１１６…撮像指令スイッチ、１１７…表示部、１１８…音声処理部、１１９…制御部、２０…無線通信網、３０…管理センタ。
【図１】
2005217538.tif 000003
【図２】
2005217538.tif 000004
【図３】
2005217538.tif 000005
【図４】
2005217538.tif 000006
【図５】
2005217538.tif 000007
【図６】
2005217538.tif 000008
【図７】
2005217538.tif 000009
【図８】
2005217538.tif 000010